(57)【特許請求の範囲】
【請求項１】
プラテンの上を搬送されるシート材の面とセンサとの間で前記面に沿って相対的な移動を生じさせ、前記移動の方向における前記シート材の端部の位置を検出する方法であって、
前記センサにより前記シート材の端部を検知するための基準値を設定する設定ステップと、
前記基準値に基づき、前記センサの出力から前記シート材の端部の位置を検出する検出ステップと、
前記検出ステップで検出した位置近傍における前記シート材の端部の前記プラテンからの浮き状態に関して、予め用意している複数のモデルの中で適合するモデルを判定する判定ステップと、
前記判定ステップで判定したモデルに応じて、前記検出ステップで検出した位置を補正して前記シート材の端部の位置を決定する決定ステップと
を備えることを特徴とするシート材の検出方法。
【請求項２】
前記判定ステップでは、前記シート材の種類に応じたモデルの判定を行うことを特徴とする請求項１に記載のシート材の検出方法。
【請求項３】
前記判定ステップで判定ができない場合または前記決定ステップで決定することができない場合にはシート材を決められた量だけ搬送し、次いで前記判定ステップと前記決定ステップの少なくとも一方を再度行うことを特徴とする請求項１に記載のシート材の検出方法。
【請求項４】
プラテン上のシート材を搬送する搬送手段とセンサとを備え、前記シート材の面と前記センサとの間で前記面に沿って相対的な移動を生じさせ、前記移動の方向における前記シート材の端部の位置を検出する装置であって、
前記センサにより前記シート材の端部を検知するための基準値に基づき、前記シート材の端部の位置を検出する検出手段と、
前記検出手段で検出した位置近傍における前記シート材の端部の前記プラテンからの浮き状態に関して、予め用意している複数のモデルの中から適合するモデルを判定する判定手段と、
前記判定手段で判定したモデルに応じて、前記検出手段で検出した位置を補正して前記シート材の端部の位置を決定する決定手段と
を備えることを特徴とする搬送装置。
【請求項５】
シート材の面とセンサとの間で前記面に沿って相対的な移動を生じさせ、前記移動の方向における前記シート材の端部の位置を検出する方法であって、
前記センサにより前記シート材の端部を検出するための複数の基準値を設定する設定ステップと、
前記基準値に基づいて、前記センサの出力から前記シート材の端部の位置を検出する検出ステップと、
前記検出ステップでの検出した位置に補正が必要か否かを、前記複数の基準値に基づいて前記センサの出力から判定する判定ステップと
前記判定ステップで補正が必要と判定されたら、前記検出ステップで検出した位置を補正する補正ステップ
を備えることを特徴とするシート材の検出方法。
【発明の詳細な説明】
【技術分野】
【０００１】
本発明は、搬送装置により搬送されているシート材をセンサを用いて検出する方法に関するものである。具体的には、記録ヘッドやスキャナーとともに、シート材に対して移動するセンサによりシート材の端部を検出する方法、装置に関するものである。
【背景技術】
【０００２】
従来、被記録媒体（シート材）に印字を行うインクジェットプリンタ（記録装置）は、被記録媒体に正しく画像を形成するために、被記録媒体の先端及び左右端と印字用ヘッドとの相対距離を測定するための端部検出機能を備えている。これは多くの場合、キャリッジ上に搭載された反射型光センサを用いて、次のように行なわれる。
【０００３】
被記録媒体がプリンタの記録領域まで搬送された状態で、反射型光センサを移動させる。このとき、センサは被記録媒体からの情報を検出して、制御手段のメモリに格納する。また、反射型光センサを移動させて被記録媒体以外の領域（例えばプラテン）に移動し、センサは被記録媒体からの情報を検出して、制御手段のメモリに格納する。このように２つのセンサが検出した情報（出力値）の平均値を被記録媒体端部検出の基準値とし、上述した反射型光センサからの出力と基準値に基づき被記録媒体の端部を検出する。
【０００４】
キャリッジを駆動する制御はエンコーダを用いて行っている。エンコーダからは一定量を移動するたびにパルス（信号）が出力される。このパルスをカウントすることによって、反射型光センサの被記録媒体に対する相対的な位置が判る。従って、記録装置における被記録媒体の位置（端部の位置）も判る。
【０００５】
ところで、被記録媒体が持つ好ましくない特性（特にロール状の被記録媒体）として、低湿環境下での被記録媒体端部のそり、巻き方向へのカールがあげられる。この特性は、被記録媒体の端部において、プラテンからの浮きを発生させ、反射型センサの誤検出を招き、端部検出機能が正しく働かない場合を生じさせていた。
【０００６】
この問題に対して、被記録媒体の浮きに対する耐性を高める構成にすればよい。しかし、当然のことながら、端部検出精度を高めることが、基本的要求として存在しており、それを実現するために採用される手法、すなわち、発光部を絞るか受光部を絞るかして実効的な光束（光路）を絞るという構成は、被記録媒体の浮きに対する耐性を高める構成とは相反するものである。そのため、これらの両立にはコストアップが発生してしまう。
【０００７】
一方、被記録媒体の浮きを抑えて検知を行う手法として、搬送ロール対（被記録媒体搬送用の搬送ローラとピンチローラ）の下流近傍の位置にセンサを配置する構成が開示されている。（特許文献１参照）
しかし、この方法の問題点として次のようなものある。それは、インクジェットプリンタにおけるインクミスト汚れの影響である。インクジェットプリンタにおいては印字のための吐出に伴って発生するインクミスト汚れの影響を最小限に抑えなくてはならないという大きな課題がある。搬送ロール対の下流近傍はヘッドと挟まれた狭い空間であるため、下流近傍にセンサを配置した場合、インクミスト濃度が高く、センサが汚れやすくなり、反射型光センサの耐久寿命を著しく短くしてしまうという問題がある。
【０００８】
ところで、そもそも被記録媒体が浮くことを想定し、拍車を用いて被記録媒体の浮きの抑制を行う方法が実施されている装置もあるが、拍車による画質への影響も考慮される。また、ファンで風を発生させ、その圧力で被記録媒体の浮きを抑制する方法がある。しかし、この方法でも様々なロール状の被記録媒体および環境に対して、浮きを抑えることは完全ではない。
【特許文献１】特開平１０−６７４４８号公報
【発明の開示】
【発明が解決しようとする課題】
【０００９】
本発明は、上述のような従来技術の問題点を解消するための発明であり、その目的とするところは、シート材の端部の検出を精度良く行える方法および装置を提供することである。
【課題を解決するための手段】
【００１０】
本発明のシート材の検出方法は、プラテンの上を搬送されるシート材の面とセンサとの間で前記面に沿って相対的な移動を生じさせ、前記移動の方向における前記シート材の端部の位置を検出する方法であって、前記センサにより前記シート材の端部を検知するための基準値を設定する設定ステップと、前記基準値に基づき、前記センサの出力から前記シート材の端部の位置を検出する検出ステップと、前記検出ステップで検出した位置近傍における前記シート材の端部の前記プラテンからの浮き状態に関して、予め用意している複数のモデルの中で適合するモデルを判定する判定ステップと、前記判定ステップで判定したモデルに応じて、前記検出ステップで検出した位置を補正して前記シート材の端部の位置を決定する決定ステップとを備えることを特徴とする。
【００１１】
本発明の搬送装置は、プラテン上のシート材を搬送する搬送手段とセンサとを備え、前記シート材の面と前記センサとの間で前記面に沿って相対的な移動を生じさせ、前記移動の方向における前記シート材の端部の位置を検出する装置であって、前記センサにより前記シート材の端部を検知するための基準値に基づき、前記シート材の端部の位置を検出する検出手段と、前記検出手段で検出した位置近傍における前記シート材の端部の前記プラテンからの浮き状態に関して、予め用意している複数のモデルの中から適合するモデルを判定する判定手段と、前記判定手段で判定したモデルに応じて、前記検出手段で検出した位置を補正して前記シート材の端部の位置を決定する決定手段とを備えることを特徴とする。
【発明の効果】
【００１２】
本発明によれば、ユーザ使用環境下の影響及びシート材のカールの影響などにより、シート材がプラテンから浮いている場合においても、正確にシート材の端部の検出を行うことができる。
【発明を実施するための最良の形態】
【００１３】
以下、添付図面に基づいて、本発明の特徴的な構成と手法について説明する。
【００１４】
なお、本発明は被記録媒体に記録を行うインクジェット方式のプリンタ（記録装置）の被記録媒体の端部検出の問題解決に関わる発明である。そのため、一般的なインクジェットプリンタの動作については、説明を省略する。
【００１５】
まず、理解を助けるために本発明に用いる反射型光センサの構成及びその取り付け部（キャリッジ周辺を示した図）について説明する。
【００１６】
図２は、本発明に用いる反射型光センサの構成図である。図２おいて、１１は発光用ＬＥＤ、１２は受光用フォトトランジスタ、３は被記録媒体である。発光用ＬＥＤから照射された光が被記録媒体により、反射され、受光用フォトトランジスタにより検出する構成となっている。例えば、図のように被記録媒体の高さが変化した場合、光の受光量が変化し、その高さに応じて出力が変化する。
【００１７】
図３はキャリッジ周辺を示した図である。図３において、１はインクジェットヘッドが搭載されたキャリッジ（以降、ＣＲと呼ぶ場合もある）、２はキャリッジに搭載された反射型光センサである。これは、インクジェットヘッドの印字下流側に設置されている。４はプラテン、３は被記録媒体、５は被記録媒体を送り出す搬送ローラである。搬送ローラと被記録媒体は若干滑りの影響はあるものの、基本的には連動して移動するものである。そのため、搬送ローラの位置（方向と移動量）から、被記録媒体の相対的位置も、プリンタ本体は把握できている。
【００１８】
ここから、本発明の特徴となるモデルを選択し、このモデルに基づき、被記録媒体の端部を決定する過程を説明する。この過程を図１に示したフローチャートで説明する。
【００１９】
＜ステップ１−１  基準値の決定＞
被記録媒体がプリンタにセットされ、適度に被記録媒体が反射型光センサの下流まで搬送された状態において、まず、キャリッジを駆動して前記の反射型光センサが被記録媒体の印字可能範囲内に収まる位置に移動し、その時の出力を記憶する。この出力を被記録媒体上の出力とする。
【００２０】
次に、キャリッジを被記録媒体がセットされる範囲外に駆動し、その時の出力を記憶する。この出力をプラテン上の出力とする。２つの出力値から以下の式により被記録媒体端部検出の基準値を決定する。
基準値＝（被記録媒体上の出力−プラテン上の出力）／４＋プラテン上の出力
なお、基準値設定方法については後で詳細な説明をする。
【００２１】
＜ステップ１−２  端部検出＞
図４に被記録媒体端部を検出した時のセンサ出力模式図を示す。図４において、２１は、被記録媒体端部暫定位置、２２は、基準値、２３は、被記録媒体端部暫定位置付近である。
【００２２】
この実施例における構成では、被記録媒体上で出力が高く、プラテン上で出力が低くなる。キャリッジを被記録媒体上に移動し、被記録媒体端部方向に走査する。なお、被記録媒体の先端を検出する場合は、キャリッジは移動させず決められた位置に停止し、被記録媒体を搬送させればよい。
【００２３】
キャリッジ走査中は、反射型光センサの出力とそのキャリッジ位置を検出し、この検出した情報を記憶手段に格納する。
【００２４】
ステップ１−１で設定した基準値を下回った位置を、被記録媒体端部暫定位置（Ｓ＿ＣＲ）とし、被記録媒体端部暫定位置から十分に離れた位置で、キャリッジ走査を停止する。この被記録媒体端部暫定位置（Ｓ＿ＣＲ）を用いた被記録媒体の端部位置の算出については後述する。
【００２５】
＜モデルの説明＞
まず、本実施例における被記録媒体の浮きモデルについて説明を行う。図７に本実施例における特徴的な被記録媒体の浮きモデルを示す。ここでは例として４つのモデルについて説明する。搬送装置において、例えばプラテンに沿って被記録媒体が搬送される。この場合、被記録媒体がプラテンから離れた（浮いた）状態になることがある。
【００２６】
図７Ａは、被記録媒体の浮きがない状態である。図８にその時の反射型光センサ出力波形模式図を示す。本状態の特徴は、スポット径による変動領域外で、一定の出力となることである。本実施例の場合、用紙端部に対応した出力値と用紙端部から１００ｍｍ以上離れた位置に対応した出力値とがほぼ等しい（測定の際のノイズ、誤差を除き）状態にある。
【００２７】
図７Ｂは、端部がそっている状態である。言い換えると浮きがある状態である。図９にその時の反射型光センサ出力波形模式図を示す。低湿度環境下などの影響により、被記録媒体の端部そりが大きくなり、プラテンから端部が浮いてしまう。本状態の特徴は、被記録媒体の端部の出力値が端部から離れるに従いなだらかに、ほぼ直線的に出力値は減少する。
【００２８】
図７Ｃは、カールしている状態である。図１０にその時の反射型光センサ出力波形模式図を示す。
【００２９】
被記録媒体のカールは、被記録媒体のこし、剛性が強い時に生じる。被記録媒体の端部は、プラテンに接触するが、その端部付近がプラテンより浮いてしまう。本状態の特徴は、被記録媒体の端部の出力値が一度減少し、スポット径よりで上昇した後、スポット径内で再度減少することである。
【００３０】
図７Ｄは、被記録媒体全体が浮いている状態である。厳密には、プラテンに複数設けられている吸引口からの空気により、被記録媒体はプラテンに吸着している状態である。しかし、センサから取得された情報を全体としてみると、センサのスポット径は小さいために、被記録媒体が吸着しているポイントとそのポイント周辺以外は、浮いているようにもみえる。このため、モデルとして、被記録媒体全体が浮いている状態をモデルとしている。
【００３１】
図１１にその時の反射型光センサ出力波形模式図を示す。この状態の発生原因は、図７Ｂと同様である。端部付近では、被記録媒体浮きのみ発生し、被記録媒体のそりが発生していない場合に生じる。特に、被記録媒体がカールしやすい特性のある主走査方向の検出において発生する。本状態の特徴は、被記録媒体端部において、出力が一定になる状態が存在する。この出力は、被記録媒体の端部から離れた領域における出力値とは異なる。
【００３２】
なお、図８、図９、図１０、図１１において、１４は被記録媒体端部の出力、１５はスポット径による変動部の出力、１６はプラテン上の出力、１７は被記録媒体に浮きがない安定部の出力である。
【００３３】
被記録媒体の安定部の出力の及びプラテン上の出力は端部の状態に左右されないため、どのような被記録媒体の浮き状態おいても同じ値になる。
【００３４】
＜ステップ１−３  モデルの選択＞
モデルの選択方法について説明を行う。図１２は、複数のモデルのなかから選択するシーケンスを示す。Ｓｔｅｐ１２−１にて、被記録媒体端部と端部から離れた領域の出力が同じであるか判定する。このステップでは、被記録媒体の端部を検出する上で、端部浮きのない状態（図７Ａのモデル）を他のモデルと切り分ける。端部浮きのない状態の特徴である被記録媒体の端部の出力と端部から離れた領域の出力を比較し、同じである（Ｙｅｓ）場合には、Ｓｔｅｐ１２−６へ進む。一方、比較をして異なれば（Ｎｏ）の場合には、Ｓｔｅｐ１２−２へ移行する。
【００３５】
補足すると、本実施例において、被記録媒体の端部の出力値と端部から離れた領域の出力値との差が１０％以内である場合を、「同じである」と判断する。また、被記録媒体の端部の出力値と端部から離れた領域の出力値との差が１０％を超える場合を、「異なる」と判断する。
【００３６】
次に、Ｓｔｅｐ１２−２にて被記録媒体の端部の状態について判定を行う。被記録媒体の端部の状態により、さらにモデルの分類を行う。出力値が単調減少をする場合（図７Ｂに示した状態に対応）は、Ｓｔｅｐ１２−３へ進む。また、出力値が一度減少した後、上昇し、再度スポット径付近で減少した場合（図７Ｃに示した状態に対応）は、Ｓｔｅｐ１２−４へ進む。また、出力値が一定である場合（図７Ｄに示した状態に対応）は、Ｓｔｅｐ１２−５へ進む。
【００３７】
上述した判定ステップにおいては、上述した状態以外の場合は、端部検出ができない状態と判断する。
【００３８】
なお、出力値が一定であると判定する条件としては、例えば変動が１０％以下である場合とする。
【００３９】
＜ステップ１−４  端部の位置の算出＞
次に、選択したモデルについて、被記録媒体の端部の位置の算出を行う。
【００４０】
１．被記録媒体がそっている状態についての端部位置の算出
まず、Ｓｔｅｐ１２−３における被記録媒体がそっている状態について、端部の位置の算出を行う。被記録媒体端部の傾きを一次関数の近似式から求める。まず、この傾きを（被記録媒体上の出力値−プラテン上の出力値）で規格化を行う。規格化したものを被記録媒体のそり量とする。あらかじめ被記録媒体のそり量と補正量の関係を用意し、被記録媒体の端部暫定位置より求める。
【００４１】
図１３に被記録媒体のそり量と補正量の関係例を示す。本実施例の構成においては、図１３を用いてそり量から補正量を求めることができる。この補正量をそり補正量とよび、被記録媒体端部暫定位置（Ｓ＿ＣＲ）、スポット径（Ｓ）、そり補正量Ｓ＿Ｏｆを用いて被記録媒体端部を以下の式より決定する。
被記録媒体端部＝Ｓ＿ＣＲ＋Ｓ＿Ｏｆ×Ｓ
【００４２】
２．被記録媒体がカールしている状態についての端部位置の算出
次に、Ｓｔｅｐ１２−４における被記録媒体がカールしている状態について、端部の位置の算出を行う。この状態においては、検出値が一度減少し、再度上昇し、プラテン近傍で、再び減少する。プラテン近傍で上昇した時の最大値を求める。
【００４３】
まず、この最大値を（被記録媒体上の出力値−プラテン上の出力値）で規格化を行う。規格化したものを被記録媒体のカール量とする。被記録媒体のカール量と補正量の関係を予め用意し、被記録媒体端部暫定位置より求める。
【００４４】
図１４にカール量と補正量の関係例を示す。本実施例の構成においては、図１４を用いてカール量から補正量を求めることができる。この補正量をカール補正量とよび、被記録媒体端部暫定位置（Ｓ＿ＣＲ）、スポット径（Ｓ）、カール補正量Ｃ＿Ｏｆを用いて被記録媒体端部を以下の式より決定する。
被記録媒体端部＝Ｓ＿ＣＲ＋Ｃ＿Ｏｆ×Ｓ
【００４５】
３．被記録媒体全体が浮いている状態についての端部位置の算出
次に、Ｓｔｅｐ１２−５  被記録媒体全体が浮いている状態について、端部の位置の算出を行う。被記録媒体端部の一定部分の出力（Ｍ＿Ｉ）、プラテン上の出力（Ｐ＿Ｉ）、被記録媒体端部検出の基準値（Ｓ＿Ｉ）、被記録媒体端部暫定位置（Ｓ＿ＣＲ）、スポット径（Ｓ）を用いて以下の式より求める。
被記録媒体端部＝（Ｍ＿Ｉ−Ｐ＿Ｉ−２×ｂ）／２／ａ
ただし、ａは、ａ＝（Ｐ＿Ｉ−Ｍ＿Ｉ）／Ｓ、ｂはｂ＝Ｓ＿Ｉ−（Ｐ＿Ｉ−Ｍ＿Ｉ）／Ｓ×Ｓ＿ＣＲ
で表される。
【００４６】
４．被記録媒体全体が浮いていない状態についての端部位置の算出
次に、Ｓｔｅｐ１２−６  被記録媒体浮きのない状態について、端部の位置の算出を行う。
【００４７】
被記録媒体端部暫定位置（Ｓ＿ＣＲ）、スポット径（Ｓ）、被記録媒体端部検出の設定割合ＳＩ（本実施例では１／４（２５％））を用いて以下の式より求める。
被記録媒体端部＝Ｓ＿ＣＲ＋Ｓ×ＳＩ
本実施形態では、４つのモデルを例にして説明したが、モデル数は４に限定する必要はなく、他の値であっても構わない。
【００４８】
また、モデルについては、被記録媒体の状態に限定するものではなく、被記録媒体の支持部材の形状や状態（例えばプラテンの形状）を含めた場合に適用しても良い。例えば、吸引プラテン方式を利用した記録装置について図２８を用いて説明する。図２８は、記録装置のプラテンに凹部がある状態を示しており、この装置における被記録媒体の端部を反射型光センサで検出した場合の、出力波形の模式図を示す。
【００４９】
この吸引プラテン方式の機構では、被記録媒体の吸着のために吸引口が設けている。そのため、被記録媒体のサイズによっては、端部をプラテンの凹部で検出する。この場合、被記録媒体端部の暫定位置付近の反射型光センサの出力値は、プラテンにおける出力値よりも低い。
【００５０】
このとき、被記録媒体端部は、被記録媒体端部の一定部分の出力（Ｍ＿Ｉ）、プラテン上の出力（Ｐ＿Ｉ）、吸引プラテンの影響における出力の最小値（Ｐ＿ｍｉｎ）、被記録媒体端部暫定位置（Ｓ＿ＣＲ）、スポット径（Ｓ）を用いて以下の式より求める。
被記録媒体端部＝−（Ｍ＿Ｉ−Ｐ＿Ｉ）／Ｓ×（Ｍ＿Ｉ＋Ｐ＿ｍｉｎ）／２＋ａ
ただし、ａは、ａ＝（Ｍ＿Ｉ−Ｐ＿Ｉ）／Ｓ×Ｓ＿ＣＲ＋（Ｍ＿Ｉ−Ｐ＿Ｉ）／４＋Ｐ＿Ｉで表される。
【００５１】
次に、反射型光センサを用いて、被記録媒体の端部検出のための基準値の設定について説明する。
【００５２】
＜被記録媒体端部の検出のための基準値設定方法＞
被記録媒体端部検出の基準値の設定方法について説明する。図６に５０％閾値を採用する場合の概念図を示す。説明を簡単にするために反射型光センサのスポット形状は四角形とする。なお、スポット形状は四角形に限る必要性はないが、形状として対称性があることが望ましい。スポット形状に対称性がある場合、スポット径の中心が紙の端部に位置するとき、片側は被記録媒体上（図中左側）、もう一方は、プラテン上を検出する。スポット径に対称性がある場合、このときの出力は、被記録媒体上にスポット径全域がある場合とプラテン上にスポット径全域がある場合の平均になる。
【００５３】
つまり、反射型光センサの出力は、スポット径の中心位置と被記録媒体端部とが一致した時に被記録媒体上にスポット径全域がある場合の出力値とプラテン上にスポット径全域がある場合の出力値との平均値と等しくなる。そのため、端部検出においては、５０％という閾値を被記録媒体端部検出の基準値として用いる。
【００５４】
ところが、上述したような被記録媒体の浮きを考慮した場合、被記録媒体上で５０％以下の出力になる場合がある。例えば、吸引プラテン方式を利用したインクジェットプリンタにおいて発生する浮き量は、キャリッジとプラテン間の構造により決定される。
【００５５】
図１９に発生する浮き量の模式図を示す。被記録媒体の端部が浮いた場合、浮きの量がある値より大きくなった場合、被記録媒体の上にキャリッジがあると、被記録媒体はキャリッジに接触する。このため、被記録媒体はそれ以上浮き上がることはできない。
【００５６】
そのため、図１９において、１９ａが最大の高さ変化量になる、また、１９ｂが最大の傾き変化量になる。例えば、本実施例で使用しているインクジェットプリンタで想定される最大変化量は３ｍｍ、最大傾き量は１０度である。本実施例で使用している反射型光センサの特性と合わせると、被記録媒体上において、最大の出力変化が生じた場合でも被記録媒体に高さ変化、傾き変化がない状態を１００とした時の１／４（２５％）を下回ることはない。
【００５７】
そこで、本実施例では、被記録媒体端部検出の基準値を２５％に設定する。２５％を被記録媒体端部検出の基準値にしても端部検出精度を低減するものではない。
【００５８】
図１２Ｓｔｅｐ１２−６でも説明を行っているが、２５％基準値から検出した被記録媒体端部を暫定位置とし、スポット径を用いることで、５０％を基準値にした場合と同じ被記録媒体端部位置を求めることができる。
【００５９】
また、この２５％という数値は本実施形態における一例であり、この値に限定するものではない。なお、本実施例で用いる反射型光センサの構成に限らず、被記録媒体上で、２５％以上を達成すること（高さ変化、傾き変化が発生した条件下において）は、汎用の発光用ＬＥＤと汎用の受光用フォトトランジスタを使用して容易に実現できる。
【００６０】
＜被記録媒体がプラテンから浮いている状態における反射型光センサの出力について＞
図５に被記録媒体がプラテンから浮いている状態における反射型光センサの出力について示す。横軸はキャリッジの位置を示す。縦軸は、被記録媒体の高さ及び傾きが安定している位置における出力を「１」としてときの相対値である。図５は、スポット径４ｍｍのセンサで測定した結果である。被記録媒体の高さ変化、傾き変化がある状態では、スポット径よりも広い領域で出力変化が発生していることがわかる。
【００６１】
図１５に高さが変化した場合の反射型光センサの出力変化を示す。横軸は、被記録媒体浮き量である。図下の模式図に示すように、プラテンと被記録媒体が接触している状態における被記録媒体表面を「０」としている。
【００６２】
縦軸は、被記録媒体浮き量が「０」の時の出力を「１」として規格化したときの相対値である。高さが変化した場合の反射型光センサの出力変化は、反射型光センサユニットの構成（個体差）に依存する。そのため、必ずしも図１５のような変化が得られるとは限らない。しかし、図２に示すように発光用ＬＥＤと受光用フォトトランジスタの２素子から構成される単純な反射型光センサとして構成した場合、被記録媒体の浮きが発生し、反射型光センサと被記録媒体の距離が変化した場合、光路も変化するため、出力は必ず変化する。
【００６３】
図１６に傾きが変化した場合の反射型光センサの出力変化を示す。横軸は、被記録媒体傾き量である。図下の模式図に示すように、プラテンと平行の状態を被記録媒体傾き量「０」としている。縦軸は、被記録媒体傾き量が「０」の時の出力を「１」として規格化したときの相対値である。高さ同様、傾きが変化した場合の反射型光センサの出力変化は、反射型光センサユニットの構成により決定される。そのため、必ずしも図１６のような変化が得られるとは限らない。しかし、被記録媒体が傾いた場合は、光路も変化するため、出力は必ず変化する。このように、高さ変化及び傾き変化がある場合、反射型光センサの出力は変化する。
【００６４】
＜被記録媒体の剛性度について＞
被記録媒体のプラテンに対する浮きは、材質によって浮きのモデルが特定できる。浮きのモデルを特定することで、モデル選択の精度を向上することができる。例えば、被記録媒体の剛性度で分類する。被記録媒体は剛性度で以下の特徴を持つ。
【００６５】
１つは、メディアの剛性が強い場合、カールをしやすい。メディアの剛性が弱い（少ない）場合、浮きが発生しやすい。２つめは、カールが発生するほど剛性の強いメディアでは、そりはほとんど発生しない。
【００６６】
例えば代表的なメディアの剛性を図１７に示す。横軸は、被記録媒体の名称であり、縦軸は、剛性度（相対値）である。図１７からわかるように、剛性度は、被記録媒体の種類により違いがある。そのため、例えば、本実施例の場合、剛性度１０００以上のものはカールが発生するとみなし、そりについてのモデルを選択するモデルに入れない。このような方法により、モデルの選択の正確性を向上することができる。
【００６７】
＜検出シーケンスについて＞
上述した検出シーケンスについて、１回の一連の処理を実行したにもかかわらず、モデルが選択できないことや、被記録媒体の端部位置を決定することができないこともある。この場合、予め定められた量の搬送動作を行い、その後、再度検出シーケンスを行う。
【００６８】
このモデルを選択できない場合には、以下の要因が考えられる。１つ目の要因として、被記録媒体の形状が正常でない場合がある。例えば、被記録媒体が途中で破れている場合がある。２つ目の要因として、浮きが想定以上に大きい場合である。モデル選択ができない場合に、被記録媒体を一度搬送することにより端部検出が可能になることを図１８を用いて説明する。図１８（Ａ）は、被記録媒体を搬送する前の状態を示す。図１８（Ｂ）は、被記録媒体搬送を搬送した後の状態を示す。被記録媒体そのものが破れている場合は、被記録媒体の搬送を行うことで、正常な状態を検出することができる。
【００６９】
また、被記録媒体の浮きの量が予め想定した量（設計値）以上に大きい場合にも、被記録媒体搬送を行うことで、図１８Ｂに示すように、プリンタ本体から被記録媒体が垂れ下がる。被記録媒体が垂れ下がると被記録媒体の自重によりプラテンにおける浮きの状態が抑制される。これにより、被記録媒体を搬送することにより、被記録媒体の浮きの量が予め想定した量（設計値）に収まり、端部検出が可能になる。本実施例の場合、被記録媒体の搬送量として、例えば３００ｍｍの搬送を行う。なお、この搬送量は、この値に限定するものではなく、被記録媒体の種類や被記録媒体のサイズにより異なる搬送量であっても構わない。
【００７０】
以上は、被記録媒体のプラテンにおける状態を予めモデル化し、モデルの中から選択して被記録媒体の端部の位置を検出した。
【００７１】
＜別の被記録媒体の端部の検出方法＞
以下は、別の形態の被記録媒体の端部の位置検出について、図２０を用いて説明する。図２０では４つのステップが実行される。
【００７２】
［Ｓｔｅｐ２０１．基準値の決定］
被記録媒体がプリンタにセットされ、適度に記録媒体が反射型光センサの下流まで排出された状態において、まず、キャリッジを駆動して前記の反射型光センサが記録媒体の印字可能範囲内に収まる位置に移動し、その時の出力を記憶する。
【００７３】
次に、キャリッジを前記記録媒体がセットされる範囲外に駆動し、その時の出力を記憶する。図６を用いて説明したように、被記録媒体上の出力値とプラテン上の出力の平均値を記録媒体端部検出の基準値とする。これを第１の閾値（５０％閾値）とする。また、以下の式で示すように、第２の閾値（２５％閾値）、第３の閾値（１０％閾値）を使用する。
２５％閾値＝（［メディア出力］−［プラテン出力］）÷４＋［プラテン出力］
１０％閾値＝（［メディア出力］−［プラテン出力］）÷１０＋［プラテン出力］
【００７４】
［Ｓｔｅｐ２０２．端部検出動作］
キャリッジを被記録媒体上を移動させる。先端検出の場合は、キャリッジは固定で、被記録媒体を搬送させる。
【００７５】
端部方向に移動中、反射型光センサの出力をモニタし、Ｓｔｅｐ２０１で基準値として設定した３つの閾値（５０％閾値、２５％閾値、１０％閾値）について、キャリッジ位置をエンコーダの信号に基づき検出して記憶する。図２１はその説明図である。位置２１は５０％閾値に基づく位置であり、位置２２は２５％閾値に基づく位置、位置２３は１０％閾値に基づく位置である。
【００７６】
［Ｓｔｅｐ２０３．補正の必要の有無の判定］
端部検出の基準値（５０％閾値）より検出したキャリッジ位置に対して補正の必要が有るか無いかを判定する。端部検出の基準値（５０％閾値）より検出したキャリッジ位置と２５％閾値より検出したキャリッジ位置を用いて判定を行う。２点間の距離が、センサのスポット径の１／３より大きい場合、端部検出の基準値より検出したキャリッジ位置を不適合と判断し、Ｓｔｅｐ２０４の端部検出値補正を行う。一方、１／３より小さい場合には、適合としていると判定し、端部検出の基準値より検出したキャリッジ位置を記録媒体端部位置とする。詳細については、「前後の値判定方法」として後述する。
【００７７】
［Ｓｔｅｐ２０４．端部検出値の補正］
Ｓｔｅｐ２０３において補正の必要が有りと判定した場合、検出値の補正を行う。詳細は、図２２を用いて説明する。
【００７８】
図２２のＳｔｅｐ２２１において、１０％閾値について判定する。言い換えると、１０％閾値を用いて、キャリッジ位置を検出できるかどうかを判定する。センサの出力値が１０％の閾値より大きい値、小さい値があれば、判定ができる。しかし、予め定められている範囲を走査したにもかかわらず、センサの出力値がすべて１０％の閾値より大きい場合には判定できない。あるいは、センサの出力値がすべて１０％の閾値より小さい場合にも判定できない。これは、プラテンの状態が走査方向の位置によって異なり、センサの検出レベルが異なる場合に起こる。あるいは、被記録媒体が正しく搬送されていない（例えば、ジャム状態）場合が想定される。判定が出来れば、Ｓｔｅｐ２２２へ進み、判定が出来なければ、Ｓｔｅｐ２２５へ進む。
【００７９】
Ｓｔｅｐ２２２において、２５％閾値に対応するキャリッジの位置と１０％閾値に対応するキャリッジの位置との距離（間隔）とスポット径との比較を行う。例えば、２５％閾値に対応するキャリッジの位置と１０％閾値に対応するキャリッジの位置との距離（間隔）とスポット径の１／６の値とを比較する。
【００８０】
２５％閾値に対応するキャリッジの位置と１０％閾値に対応するキャリッジの位置との距離（間隔）がスポット径の１／６の値より小さければＳｔｅｐ２２３へ進む。２５％閾値に対応するキャリッジの位置と１０％閾値に対応するキャリッジの位置との距離（間隔）がスポット径の１／６の値より大きければＳｔｅｐ２２４へ進む。
【００８１】
Ｓｔｅｐ２２３において、２５％閾値によるＣＲ位置を端部検出位置とする。Ｓｔｅｐ２２４においては、２５％閾値に対応するキャリッジ位置と１０％閾値に対応するキャリッジ位置の中間を端部検出位置とする。また、Ｓｔｅｐ２２５は検出失敗（検出ＮＧ）とする。
【００８２】
＜前後の値判定方法について＞
以下に、理想状態における反射型光センサの出力の振る舞いと被記録媒体がプラテンから浮いている状態における反射型光センサの出力の振る舞いについて説明する。
【００８３】
（１）理想状態における反射型光センサの出力の振る舞い
図２３に理想状態におけるスポット径と出力の関係を示す。横軸は、スポット径の中心位置が被記録媒体に対してどの位置にあるかをしめす。縦軸は、反射型光センサの出力レベルである。図２３において、スポットの位置より左側は被記録媒体上にスポットが照射（位置）されている。そのため、出力レベルは、比較的高い値である。一方、スポットより右側はプラテン上にスポットが照射されている。そのため、出力レベルは、比較的に低い値である。
【００８４】
スポット径の領域においては、スポット径に含まれる被記録媒体とプラテンの面積比によって決まる。この変化領域は、当然のことながらスポット径と一致する。
【００８５】
ここで、スポット径と閾値との関係は以下の式で表される。
５０％閾値の位置−２５％閾値の位置＝スポット径の１／４
２５％閾値の位置−１０％閾値の位置＝スポット径の３／２０
（２）被記録媒体がプラテンから浮いている状態における反射型光センサの出力の振る舞い
理想状態と異なる状態として被記録媒体がプラテンから浮いている状態が考えられる。この状態における反射型光センサの出力の振る舞いについて説明を行う。
【００８６】
図８に被記録媒体がプラテンから浮いていない状態における反射型光センサの出力の振る舞いを示す。ここで、（１）で説明したように反射型光センサの出力は被記録媒体上では一定となり、スポット径の範囲で変化し、プラテン上では再び一定となる。
【００８７】
図２５に被記録媒体がプラテンから浮いている状態における反射型光センサの出力の振る舞いを示す。図２５は、端が反りあがる状態における概念図である。被記録媒体上の出力は高さが一定である状態、被記録媒体とプラテンの平行性が保たれている状態おいて、センサの出力は一定になる。
【００８８】
ところが、図２５のように端が反りあがる状態においては、高さと傾きに変化があるため、出力に変化が生じる。
【００８９】
図１５は、被記録媒体のプラテンからの高さが変化した場合の反射型光センサの出力変化を示す。横軸は、被記録媒体浮き量である。図下の模式図に示すように、プラテンと被記録媒体が接触している状態における被記録媒体表面を「０」としている。縦軸は、被記録媒体浮き量が「０」の時の出力を「１」として規格化したときの相対値である。高さが変化した場合の反射型光センサの出力変化は、ユニットの構成により決定される。そのため、必ずしも図５のような変化が得られるとは限らない。しかし、図２に示すように発光用ＬＥＤと受光用フォトトランジスタの２素子から構成される単純な反射型光センサとして構成した場合、被記録媒体の浮きが発生し、反射型光センサと被記録媒体の距離が変化した場合、光路も変化するため、出力は必ず変化する。
【００９０】
図１６に傾きが変化した場合の反射型光センサの出力変化を示す。横軸は、被記録媒体傾き量である。図下の模式図に示すように、プラテンと平行の状態を被記録媒体傾き量「０」としている。縦軸は、被記録媒体傾き量が「０」の時の出力を「１」として規格化したときの相対値である。高さ同様、傾きが変化した場合の反射型光センサの出力変化は、ユニットの構成により決定される。そのため、必ずしも図１６のような変化が得られるとは限らない。しかし、図２４に示すように被記録媒体が傾いた場合は、光路も変化するため、出力は必ず変化する。
【００９１】
図２５は、スポット径４ｍｍのユニットで測定した結果である。被記録媒体の高さ変化、傾き変化がある状態では、スポット径よりも広い領域で出力変化が発生していることがわかる。このように、高さ変化及び傾き変化がある場合、反射型光センサの出力は変化する。
【００９２】
図２６に高さ変化、傾き変化がある状態における５０％閾値、２５％閾値、１０％閾値による、走査方向の位置についての概念図を示す。横軸は、センサを搭載したキャリッジの位置である（センサの位置である）。縦軸は反射型光センサの出力値を示す。
【００９３】
５０％閾値に対応する位置は、高さ変化、傾き変化のない状態（図２１）と比較すると、被記録媒体側に移動している（ずれている）ことがわかる。この移動量は、当然のことながら、高さ変化、傾き変化に依存する。一方で、プラテン上の出力には変化が発生しないため、５０％閾値に基づく位置のずれ量と２５％閾値にもとづく位置のずれ量を比べると、相対的に、５０％閾値に基づく位置のずれ量の方が大きくなる。以下に説明を行う。
【００９４】
図２６に高さ変化、傾き変化がある状態における５０％、２５％の反射型光センサスポット模式図を示す。図２６Ａは、図６と同じであり、被記録媒体に高さ変化、傾き変化がない５０％の状態を示す。図中斜線部は、被記録媒体上にスポットがあることを示し、白部は、プラテン上にスポットがあることを示す。被記録媒体に高さ変化、傾き変化がない５０％の状態では、スポット径中心に被記録媒体端部が存在する。
【００９５】
図２６Ｂは、被記録媒体に高さ変化、傾き変化がない２５％の状態を示す。５０％の状態からＣＲをプラテン側に移動した状態をあらわしている。そのため被記録媒体上を示す斜線部は、５０％における１／２になり、プラテン上を示す白部は、５０％における３／２になる。
【００９６】
図２６Ｃは、被記録媒体に高さ変化、傾き変化がある５０％の状態を示す。この場合、被記録媒体上の出力は、高さ変化、傾き変化がない場合に比べ小さい。そのため、被記録媒体に高さ変化、傾き変化がない場合の５０％の出力と同等の出力を検出する位置は、傾き変化がない場合と比べ、被記録媒体側になる（図２６により説明）。
【００９７】
図２６Ｄは、被記録媒体に高さ変化、傾き変化がある２５％の状態を示す。５０％の状態からＣＲをプラテン側に移動した状態をあらわしている。そのため被記録媒体上を示す斜線部は、５０％における１／２になり、プラテン上を示す白部は、５０％における３／２になる。高さ変化、傾き変化がない状態おける５０％閾値ＣＲ位置と２５％閾値ＣＲ位置間の距離（図中、１５ａで示す距離）と高さ変化、傾き変化がある状態おける５０％閾値ＣＲ位置と２５％閾値ＣＲ位置間の距離（図中、１５ｂで示す距離）を比較する。
【００９８】
プラテン上の出力は一定のため、５０％閾値ＣＲ位置と２５％閾値ＣＲ位置は、被記録媒体上の出力により決まる。この出力変化は５０％と２５％を比べると２５％では相対的に半分になる。そのため、高さ変化、傾き変化による被記録媒体側への移動量も半分になる。
【００９９】
なお、この実施形態では、被記録媒体の高さ変化、傾き変化は被記録媒体端部にのみ発生している状態を想定している。
【０１００】
以上をまとめると、５０％閾値ＣＲ位置と２５％閾値ＣＲ位置間の距離が理想状態（高さ変化、傾き変化がない状態）に対して変化している時は、被記録媒体端部において紙浮き（高さ変化、傾き変化）が発生していると考えられる。そこで、５０％閾値ＣＲ位置と２５％閾値ＣＲ位置間の距離が理想状態と異なる場合、被記録媒体浮きが発生していると判断する。
【０１０１】
（３）端部検出値補正方法について
図２０のＳｔｅｐ２０４における、プラテンに対して被記録媒体が浮きが発生した場合の端部検出値の補正方法について説明する。発生する浮き量はキャリッジとプラテン間の構造により決定される。
【０１０２】
先に図１９を用いて説明したとおり、被記録媒体の端部が浮いた場合、ある量を以上では、キャリッジに接触するためそれ以上浮き上がることはできない。仮にこれ以上浮き上がる場合は、印字するために被記録媒体上にキャリッジを移動することができないためインクジェットプリンタとして成立しないからである。そのため、図１９の１９ａが最大の高さ変化量になる、また、図１９の１９ｂが最大の傾き変化量になる。例えば、本実施形態で使用しているインクジェットプリンタで想定される最大変化量は３ｍｍ、最大傾き量は１０度である。本実施例で使用している反射型光センサの特性と合わせると、被記録媒体上において、最大の出力変化が生じた場合でも被記録媒体に高さ変化、傾き変化がない状態を１００とした時の１／４（２５％）を下回ることはない。
【０１０３】
本実施例で用いる構成のみに限らず、被記録媒体上で、２５％以上を達成すること（高さ変化、傾き変化が発生した条件下において）は、汎用の発光用ＬＥＤと汎用の受光用フォトトランジスタを使用して容易に実現できる。
【０１０４】
また、本手法は、設定する閾値を変更することで、２５％という数値に関わらず実現できる。
【０１０５】
高さ変化、傾き変化が発生した想定される最悪条件下における出力低下よりも低い位置に閾値を設定する。本実施例においては、図２５における１０％閾値である。１０％閾値ＣＲ位置を検出することで、被記録媒体端部検出が行われたと判断する。次に２５％閾値ＣＲ位置と１０％閾値ＣＲ位置を用いて判断を行う。
【０１０６】
図２７を用いて、被記録媒体端部位置を算出する手法について説明する。図中における記号の意味は以下の通りである。
Ｙ＿ｍ：被記録媒体上端部位置の出力（スポットは全て被記録媒体上にある）
Ｙ＿２５：２５％閾値
Ｙｓ：被記録媒体上端部位置の出力の５０％出力
Ｙ＿１０：１０％閾値
Ｙ＿ｐ：プラテン上出力
Ｘ＿ｍ：Ｙ＿ｍに対する横軸位置
Ｘ＿２５：２５％閾値ＣＲ位置
Ｘｓ：被記録媒体端部位置
Ｘ＿１０：１０％閾値ＣＲ位置
Ｘ＿ｐ：Ｙ＿ｐに対する横軸位置
Ｓ：スポット径
この中で既知のものは、Ｙ＿２５、Ｙ＿１０、Ｙ＿ｐ、Ｘ＿２５、Ｘ＿１０、Ｓである。また、未知のものは、Ｙ＿ｍ、Ｙｓ、Ｘ＿ｍ、Ｘｓ、Ｘ＿ｐである。
【０１０７】
以下の算出式１〜４により、被記録媒体端部位置を算出することができる。
式１は、２５％閾値、１０％閾値、２５％閾値ＣＲ位置、１０％閾値ＣＲ位置から直線の式を算出するための算出式である。
式２は、プラテン上の出力及び式１を用いてＸ＿ｐ算出するための算出式である。
式３は、Ｘ＿ｐとＸ＿ｍ及びスポット径から被記録媒体上端部位置の出力を算出するための算出式である。
式４は、被記録媒体上端部位置の出力と直線の式から被記録媒体端部位置を算出するための算出式である。
【０１０８】
Ｙ＝（Ｙ＿２５−Ｙ＿１０）／（Ｘ＿２５−Ｘ＿１０）×Ｘ＋（Ｙ＿１０×Ｘ＿２５−Ｙ＿２５×Ｘ＿１０）／（Ｘ＿２５−Ｘ＿１０）      ・・・（式１）
Ｘ＿ｐ＝（Ｙ＿Ｐ−Ｂ）／Ａ      ・・・（式２）
ここでＡ，Ｂは
Ａ＝（Ｙ＿２５−Ｙ＿１０）／（Ｘ＿２５−Ｘ＿１０）、Ｂ＝（Ｙ＿１０×Ｘ＿２５−Ｙ＿２５×Ｘ＿１０）／（Ｘ＿２５−Ｘ＿１０）である。
Ｙ＿ｍ＝Ａ×Ｘ＿ｍ＋Ｂ      ・・・（式３）
ここで、Ｘ＿ｍ＝Ｘ＿ｐ−Ｓである。
Ｘｓ＝（Ｙｓ−Ｂ）／Ａ      ・・・（式４）
ここで、Ｙｓ＝Ｙ＿ｍ／２である。
【０１０９】
上記計算は説明のため、順をおって記述を行ったが、まとめると式５で表される。この式５を用いて端部位置を算出できる。
Ｘｓ＝（（Ｙｐ＋（−Ｂ））／Ａ）−（Ｓ／２）      ・・・（式５）
以上、被被記録媒体の端部状態の影響を受けることなく、端部検出を精度良く行う方法について説明した。
【０１１０】
＜他の実施形態＞
なお、上述した実施形態について、２５％や１０％などの閾値の数値は一例であって、装置の構成や被記録媒体に応じて他の値を用いても構わない。
【０１１１】
また、上述した説明はプリンタ（記録装置）の被記録媒体の端部検出について説明したが、原稿を読み取る画像入力装置において、原稿の端部の検出において適用できる。
【図面の簡単な説明】
【０１１２】
【図１】本発明の特徴的なフローチャート
【図２】発明に用いる反射型光センサの構成図
【図３】キャリッジ周辺を示した図
【図４】端部検出動作概念図
【図５】被記録媒体端部がそっている時の波形
【図６】５０％閾値の概念図
【図７】被記録媒体浮きモデル
【図８】被記録媒体の浮きがない時の波形模式図
【図９】被記録媒体端部がそっている時の波形模式図
【図１０】被記録媒体がカールしている時の波形模式図
【図１１】被記録媒体全体が浮いている時の波形模式図
【図１２】モデルを選択するシーケンス図
【図１３】そり量と補正量の関係例
【図１４】カール量と補正量の関係例
【図１５】高さが変化した場合の反射型光センサの出力変化
【図１６】傾きが変化した場合の反射型光センサの出力変化
【図１７】代表的なメディアの剛性
【図１８】搬送状態の模式図
【図１９】発生する浮き量の模式図
【図２０】本発明の特徴的なフローチャート
【図２１】端部検出動作概念図
【図２２】端部検出値の補正シーケンス図
【図２３】スポット径と出力の関係
【図２４】被記録媒体が傾いた場合の光路変化
【図２５】高さ変化、傾き変化がある状態における５０％、２５％、１０％閾値によるＣＲ位置関係の概念図
【図２６】高さ変化、傾き変化がある状態における５０％、２５％の反射型光センサスポット模式図
【図２７】２５％、１０％閾値ＣＲ位置からの被記録媒体端部検出方法模式図
【図２８】プラテン側に凹部がある状態とその時の反射型光センサ出力波形模式図
【符号の説明】
【０１１３】
１  キャリッジ
２  反射型光センサ
３  被記録媒体
４  プラテン
５  ＬＦ駆動ローラ
６  ロール芯
７  用紙排紙方向
１１  発光用ＬＥＤ
１２  受光用フォトトランジスタ
１３  スポット径
１４  被記録媒体端部の出力
１５  スポット径による変動部の出力
１６  プラテン上の出力
１７  被記録媒体安定部の出力
１８  被記録媒体上の出力を検出
１９  プラテン上の出力を検出
２１  被記録媒体端部暫定位置
２２  基準値
２３  被記録媒体端部暫定位置付近
２４  被記録媒体浮き量
２５  被記録媒体傾き量
【図１】
0004777111.tif 000002
【図２】
0004777111.tif 000003
【図３】
0004777111.tif 000004
【図４】
0004777111.tif 000005
【図５】
0004777111.tif 000006
【図６】
0004777111.tif 000007
【図７】
0004777111.tif 000008
【図８】
0004777111.tif 000009
【図９】
0004777111.tif 000010
【図１０】
0004777111.tif 000011
【図１１】
0004777111.tif 000012
【図１２】
0004777111.tif 000013
【図１３】
0004777111.tif 000014
【図１４】
0004777111.tif 000015
【図１５】
0004777111.tif 000016
【図１６】
0004777111.tif 000017
【図１７】
0004777111.tif 000018
【図１８】
0004777111.tif 000019
【図１９】
0004777111.tif 000020
【図２０】
0004777111.tif 000021
【図２１】
0004777111.tif 000022
【図２２】
0004777111.tif 000023
【図２３】
0004777111.tif 000024
【図２４】
0004777111.tif 000025
【図２５】
0004777111.tif 000026
【図２６】
0004777111.tif 000027
【図２７】
0004777111.tif 000028
【図２８】
0004777111.tif 000029